(57)【要約】      （修正有）【課題】光反射率を高め、高光反射率の波長範囲を増加する高反射率の多層めっき皮膜を提供する。【解決手段】高反射率の多層めっき皮膜１は、基板１１、反射層１２、複合反射層１３を含み、前記反射層が基板と複合反射層の間に隣接して設置され、前記複合反射層が第１構造層１３１と第２構造層１３２を備え、且つ前記第１構造層が反射層に隣接し、これにより、９５〜１００％の高い光反射率と波長範囲４００〜８００ナノメートルを達し、光反射率を高めると共に反射範囲を増加でき、各種照明器具に運用したとき、照明器具の照度、輝度、均一度を向上することができる。【選択図】図２
0003162189.tif 000002
【実用新案登録請求の範囲】
【請求項１】
高反射率の多層めっき皮膜であって、基板、反射層、複合反射層を含み、前記反射層が基板と複合反射層の間に隣接して設置され、前記複合反射層が第１構造層と第２構造層を備え、且つ前記第１構造層が反射層に隣接することを特徴とする、高反射率の多層めっき皮膜。
【請求項２】
前記高反射率の多層めっき皮膜に別途少なくとも１つの複合反射層を設け、前記別途設けた少なくとも１つの複合反射層も第１構造層と第２構造層を備え、各第１構造層と第２構造層が互い違いに配置され、且つそのうち一方の第１構造層が反射層に隣接することを特徴とする、請求項１に記載の高反射率の多層めっき皮膜。
【請求項３】
前記基板の反射層に隣接する表面が平面、弧形の凸面、弧形の凹面、突出部を備えた非平面のいずれかであることを特徴とする、請求項１または２に記載の高反射率の多層めっき皮膜。
【請求項４】
前記基板と反射層の間に付着層を設け、前記付着層の材質がクロムであることを特徴とする、請求項１または２に記載の高反射率の多層めっき皮膜。
【請求項５】
前記反射層の材質が銀であることを特徴とする、請求項１または２に記載の高反射率の多層めっき皮膜。
【請求項６】
前記第１構造層の材質が二酸化ケイ素であることを特徴とする、請求項１または２に記載の高反射率の多層めっき皮膜。
【請求項７】
前記第２構造層の材質が二酸化チタンであることを特徴とする、請求項１または２に記載の高反射率の多層めっき皮膜。
【考案の詳細な説明】
【技術分野】
【０００１】
本考案は高反射率の多層めっき皮膜に関し、特に各種照明器具、光学反射鏡または反射集光用途の高反射率の多層めっき皮膜に関する。
【背景技術】
【０００２】
光反射構造の優劣は現今の照明システムが高品質及び高効率に邁進する中で最大の鍵となる。図１に示すように、従来の光反射構造３は、基板３１の表面に電子ビームを利用して反射層３２を蒸着しているが、前記反射層３２の材質は一般にアルミニウムと銀がよく見受けられ、そのうち銀を反射層３２としたものの反射率が最もよく、可視光から赤外光（波長４００〜８００ナノメートル）の範囲の反射率は９０〜９５％に達する。
【０００３】
しかしながら、銀材質の反射層３２は非常に酸化しやすく、空気と接触すると表面に酸化層が形成されて反射率が低下し、さらには剥落することもあるため、従来構造は銀材質の反射層３２の表面に別途一層の二酸化ケイ素の保護層３３をめっきしている。この保護層３３は反射層３２の酸化を防止することはできるものの、反射効果を向上することはできず、反対に反射層３２の反射率を低下させてしまう。
【考案の概要】
【考案が解決しようとする課題】
【０００４】
上述に鑑み、本考案の主な目的は、光反射率を向上する、高反射率の多層めっき皮膜を提供することにある。
【０００５】
本考案の別の目的は、高光反射率の波長範囲を増加する、高反射率の多層めっき皮膜を提供することにある。
【課題を解決するための手段】
【０００６】
上述の目的を達するため、本考案の提供する高反射率の多層めっき皮膜は、基板、反射層、複合反射層を含み、前記反射層が前記基板及び複合反射層の間に隣接して設置され、前記複合反射層が第１構造層及び第２構造層を備え、且つ前記第１構造層が前記反射層と相隣する。
【考案の効果】
【０００７】
本考案は銀材質の反射層上に二酸化ケイ素及び二酸化チタンをめっきした複合反射層により、反射率を９５〜１００％に高めることができる。且つ、本考案は９５〜１００％の高光反射率を達することができる波長範囲を可視光から赤外光（波長４００〜８００ナノメートル）の範囲に増加することができる。
【図面の簡単な説明】
【０００８】
【図１】従来構造の断面図である。
【図２】本考案の実施例１の断面図である。
【図３】本考案と従来構造の反射率曲線図である。
【図４】本考案の実施例２の断面図である。
【実施例１】
【０００９】
本考案の高反射率の多層めっき皮膜は、図２に示すように、本考案の高反射率の多層めっき皮膜１は基板１１、反射層１２、複合反射層１３を含み、且つ前記反射層１２は前記基板１１と複合反射層１３の間に隣接して設置される。
【００１０】
前記基板１１はステンレス、アルミニウム、アルミニウム・マグネシウム合金またはガラス材質を選択することができ、且つ前記基板１１の反射層１２に隣接する表面は平面、弧形の凸面、弧形の凹面または突出部を備えた非平面とすることができる。
【００１１】
前記反射層１２は銀材質を選択することができ、且つ電子ビーム蒸着方式で基板１１上に結合することを最良とする。
【００１２】
前記複合反射層１３は第１構造層１３１と第２構造層１３２から構成され、且つ電子ビーム蒸着方式で順に反射層１２上に結合することを最良とする。前記第１構造層１３１は二酸化ケイ素（ＳｉＯ２）材質とし、前記第２構造層１３２は二酸化チタン（ＴｉＯ２）材料とすると共に、前記第１構造層１３１は反射層１２に隣接する。
【００１３】
また、前記基板１１と反射層１２の間に付着層１４を増設してもよく、前記付着層１４はクロム（Ｃｒ）材質を選択することができ、且つ前記付着層１４は反射層１２と基板１１の間の結合度を高め、前記反射層１２の剥落を防止することができる。
【００１４】
本考案は銀材質の反射層１２上に二酸化ケイ素と二酸化チタンの複合反射層１３を蒸着し、反射層１２を保護して剥落を防止するほか、反射率を高めることができ、例えば可視光から赤外光（波長４００〜８００ナノメートル）の範囲の反射率を９５〜１００％に高めることができる。
【００１５】
図３に本考案と従来構造の反射率曲線図を示す。この図では、従来構造１（アルミニウム反射層＋二酸化ケイ素保護層）及び従来構造２（銀反射層＋二酸化ケイ素保護層）と本考案の反射率を比較した。
【００１６】
本考案は９５〜１００％の反射率に達することができる波長範囲が４００〜８００ナノメートルである。一方従来構造１の反射率は８０％より低い。従来構造２は９５％以上の反射率に達する波長範囲が７００〜８００ナノメートルしかない。
【００１７】
ここから分かるように、本考案は９５〜１００％の反射率に達することができる波長範囲が比較的大きく、光の反射率を高めると共に、反射範囲も向上でき、各種照明装置に運用した場合、照明装置の照度、輝度、均一度を向上することができる。
【実施例２】
【００１８】
図４に本考案の実施例２の高反射率の多層めっき皮膜２を示す。前記高反射率の多層めっき皮膜２は基板２１、反射層２２、２つの複合反射層２３を含み、そのうち、前記２つの複合反射層２３は相互に隣接して設置され、前記反射層２２は基板２１といずれか一方の複合反射層２３の間に隣接して設置され、且つ前記基板２１と反射層２２の間に付着層２４を増設してもよい。
【００１９】
本考案の実施例２の基板２１、反射層２２、付着層２４の構造及び材質は前述の実施例１と同じである。ただし、本考案の実施例２は少なくとも２つの複合反射層２３を備え、各複合反射層２３が第１構造層２３１と第２構造層２３２から構成され、２つの第１構造層２３１が二酸化ケイ素（ＳｉＯ２）材質であり、２つの第２構造層２３２が二酸化チタン（ＴｉＯ２）材料であるものとし、且つ２つの第１構造層２３１及び２つの第２構造層２３２が互い違いに設置され、且つそのうち一方の第１構造層２３１が反射層２２に隣接される。
【００２０】
上述をまとめると、本考案は確実に上述した各項の利点を備えており、従来構造と比較して明らかに効果が増進され、且つこの特徴は同類製品において初めての創作であるため、実用新案登録の要件を満たしており、法に基づきここに出願を提出するものである。
【００２１】
以上は本考案の最良の実施形態を述べたのみであり、本考案の明細書、実用新案登録請求の範囲、または図面を応用した同等効果の構造変化はすべて本考案の特許範囲内に含まれる。
【符号の説明】
【００２２】
１        高反射率の多層めっき皮膜
１１      基板
１２      反射層
１３      複合反射層
１３１    第１構造層
１３２    第２構造層
１４      付着層
２        高反射率の多層めっき皮膜
２１      基板
２２      反射層
２３      複合反射層
２３１    第１構造層
２３２    第２構造層
２４      付着層
３        光反射構造
３１      基板
３２      反射層
３３      保護層
【図１】
0003162189.tif 000003
【図２】
0003162189.tif 000004
【図３】
0003162189.tif 000005
【図４】
0003162189.tif 000006
【手続補正書】
【提出日】平成22年6月18日(2010.6.18)
【手続補正１】
【補正対象書類名】実用新案登録請求の範囲
【補正対象項目名】請求項１
【補正方法】変更
【補正の内容】
【請求項１】
高反射率の多層めっき皮膜であって、基板、反射層、複合反射層を含み、前記反射層が基板と複合反射層の間に隣接して設置され、前記複合反射層が第１構造層と第２構造層を備え、前記第１構造層が反射層に隣接して反射層に付着され、反射層を保護すると共に、前記第２構造層が前記第１構造層の表面に設けられ、反射層の反射率を高める構成としたことを特徴とする、高反射率の多層めっき皮膜。